(57)【要約】【課題】吊り杆の曲げ調節の度に一々取り外す必要がなく、施工が容易であり且つ簡易な構造の折板吊金具用補強具を提供する。【解決手段】吊り杆Ｔ１の下端に耳保持部Ｔ２を備えた軒樋吊金具Ｔ３を設け、前記吊り杆Ｔ１の上端を、折板屋根Ｙ等に挿通して固定される折板吊金具Ｔに用いるための補強具Ａであって、前記補強具Ａは、前記吊り杆Ｔ１の上部乃至前記軒樋吊金具に架設される１枚の傾斜板体１と、前記傾斜板体１の下端に突設された長ボルト２と、前記長ボルト２に螺合可能なナット３と、より構成してなり、前記傾斜板体１は、上端側適所を前記吊り杆Ｔ１に略直交する程度に折曲させて、前記折板屋根Ｙの裏面に当接するプレート部１１を形成すると共に、前記プレート部１１の略中央には、端部に向けて開放させた開放溝１２を形成してなる。【選択図】図１
2008240431.tif 000002
【特許請求の範囲】
【請求項１】
吊り杆の下端に耳保持部を備えた軒樋吊金具を設け、前記吊り杆の上端を、折板屋根等に挿通して固定される折板吊金具に用いるための補強具であって、
前記補強具は、前記吊り杆の上部乃至前記軒樋吊金具に架設される１枚の傾斜板体と、
前記傾斜板体の下端に突設された長ボルトと、
前記長ボルトに螺合可能なナットと、より構成してなり、
前記傾斜板体は、上端側適所を前記吊り杆に略直交する程度に折曲させて、前記折板屋根の裏面に当接するプレート部を形成すると共に、前記プレート部の略中央には、端部に向けて開放させた開放溝を形成してなる折板吊金具用補強具。
【請求項２】
請求項１において、
傾斜板体の折曲は、上端側適所を略９０°回転させながら加工された、所謂ひねり加工によって形成している折板吊金具用補強具。
【発明の詳細な説明】
【技術分野】
【０００１】
本発明は、吊り杆の下端に耳保持部を備えた軒樋吊金具を設け、前記吊り杆の上端を、折板屋根等に挿通して固定される折板吊金具用補強具に関する。
【背景技術】
【０００２】
折板屋根等の建物では、軒樋等を直接取り付けできないため、一般には、前記折板屋根等に軒樋吊金具を固定し、該軒樋吊金具に前記軒樋を取付ける折板吊金具が使用されている。
【０００３】
このような折板吊金具は、吊り杆の下端に軒樋を取り付ける耳保持部を備えた軒樋吊金具を設け、前記吊り杆の上端を、折板屋根等に挿通して固定している。
【０００４】
そのため、前記吊り杆の上端には、軒樋等の全荷重が集中荷重となってかかり、前記吊り杆や折板屋根等に、曲げや破損等を生じる危険があるため、最近では、前記集中荷重を分散させて、曲げや破損等を防止するための補強部材が提案されている。
【０００５】
この補強部材は、吊り杆に貫通され、該吊り杆の上部に直交する方向に固定されてなり、前記補強部材の上面全体が、前記折板屋根等の裏面に当接されるようにしている。
【０００６】
そのため、前記軒樋等にかかる全荷重は、前記補強部材が当接している上面全体が折板屋根等の裏面に分散荷重となって負荷されるため、前記吊り杆や折板屋根等に生じる曲げや破損等を防止できる（例えば、特許文献１参照。）。
【特許文献１】特開平８−２５３９８５号
【発明の開示】
【発明が解決しようとする課題】
【０００７】
このように、従来の折板吊金具用補強部材は、吊り杆や折板屋根等に生じる曲げや破損等を防止できる点で効果があるが、構造が複雑であるうえ、施工し難いという問題があった。
【０００８】
具体的には、前記吊り杆の上端は、折板屋根等に貫通して固定されるが、前記補強部材は、この作業前に予め前記吊り杆に貫通して取り付ける必要がある。
【０００９】
一方、折板屋根等には、屋根勾配があると共に、該屋根勾配は、設置する建物等によって様々であるが、前記軒樋吊金具自体は、これを水平に設置しなければならない。
【００１０】
そのため、施工現場においては、前記軒樋吊金具自体が水平に設置されるように、前記屋根勾配に応じて前記吊り杆を若干曲げて加工したうえで、取付けることが多い。
【００１１】
しかしながら、前記補強金具を備えた折板吊金具では、前記吊り杆の曲げ調節の度に一々前記補強部材を取外して調節した後、再度吊り杆に貫通しなければならない手間が生じ、施工し難いという問題がある。
【００１２】
本発明は、かかる課題を解決することを目的とするもので、吊り杆の曲げ調節の度に一々取り外す必要がなく、施工が容易であり且つ簡易な構造の折板吊金具用補強具を提供する。
【課題を解決するための手段】
【００１３】
上記目的を達成するため、
請求項１に係る折板吊金具用補強具は、吊り杆の下端に耳保持部を備えた軒樋吊金具を設け、前記吊り杆の上端を、折板屋根等に挿通して固定される折板吊金具に用いるための補強具であって、前記補強具は、前記吊り杆の上部乃至前記軒樋吊金具に架設される１枚の傾斜板体と、前記傾斜板体の下端に突設された長ボルトと、前記長ボルトに螺合可能なナットと、より構成してなり、前記傾斜板体は、上端側適所を前記吊り杆に略直交する程度に折曲させて、前記折板屋根の裏面に当接するプレート部を形成すると共に、前記プレート部の略中央には、端部に向けて開放させた開放溝を形成してなる。
【００１４】
請求項２に係る折板吊金具用補強具は、請求項１において、傾斜板体の折曲は、上端側適所を略９０°回転させながら加工された、所謂ひねり加工によって形成している。
【発明の効果】
【００１５】
本発明によれば、次のような効果がある。
請求項１に係る折板吊金具用補強具によれば、折板屋根等に取付けた折板吊金具の吊り杆の曲げ調節を行なった後、プレート部の開放溝を前記吊り杆の上部にスライドさせて挿入すると共に、前記長ボルトを前記軒樋吊金具の適所に貫通させてナットを螺合するだけで、前記吊り杆の上部乃至前記軒樋吊金具に架設できる。
【００１６】
このように、前記吊り杆を折板屋根等から一々取り外さなくても、折板吊金具を確実に補強することができ、簡易な構造であるうえ、施工も容易にできる。
【００１７】
請求項２に係る折板吊金具用補強具によれば、傾斜板体の折曲は、上端側適所を略９０°回転させながら加工された、所謂ひねり加工によって形成しているため、簡単なひねり加工を施すだけで、傾斜板体の強度を高めることができる。
【発明を実施するための最良の形態】
【００１８】
以下、本発明に係る折板吊金具用補強具Ａを図面とともに説明する。
【実施例１】
【００１９】
図１は、本発明に係る折板吊金具用補強具Ａの一実施例を示す取付状態図であり、図２（ａ）、（ｂ）は、図１で示した折板吊金具用補強具Ａを示す斜視図である。
【００２０】
この折板吊金具用補強具Ａは、吊り杆Ｔ１の下端に耳保持部Ｔ２を備えた軒樋吊金具Ｔ３を設け、吊り杆Ｔ１の上端を、折板屋根Ｙ等に挿通して固定される折板吊金具Ｔに用いるための補強具Ａであって、この折板吊金具用補強具Ａは、吊り杆Ｔ１の上部乃至軒樋吊金具Ｔ３に架設される１枚の傾斜板体１と、傾斜板体１の下端に突設された長ボルト２と、長ボルト２に螺合可能なナット３とを備えてなる。
【００２１】
傾斜板体１は、上端側適所を吊り杆Ｔ１に略直交する程度に折曲させて、折板屋根Ｙの裏面に当接するプレート部１１を形成してなる。
【００２２】
プレート部１１は、傾斜板体１の上端側適所を単に折り曲げて形成しても構わないが、本実施例では、傾斜板体１の上端側適所を略９０°回転させながら加工した、所謂ひねり加工によって形成している。
【００２３】
そのため、単に折り曲げてプレート部１１を形成したものに比べ、傾斜板体１の曲げ部分の強度を高めることができ、簡単なひねり加工を施すだけで、傾斜板体１全体の強度を高めることができる。
【００２４】
なお、傾斜板体１の適所に、リブ等の補強加工を施すことも可能である。
【００２５】
又、プレート部１１には、端部に向けて開放させた開放溝１２を形成してなる。
【００２６】
本実施例の開放溝１２は、プレート１１部の先端略中央から内方に向けて真っ直ぐに切欠された開放溝１２を例示しているが、これに限定されず、例えば、プレート１１部の側端から内方に向けて真っ直ぐに切欠した開放溝１２、或いは、非直線状の開放溝１２を形成することも可能である。
【００２７】
又、傾斜板体１の下端には、長尺のボルト体である長ボルト２を固着してなる。
【００２８】
ここでは、傾斜板体１を金属板で形成し、この傾斜板体１の下端に、長ボルト２の上端を溶接して固着しているが、傾斜板体１を合成樹脂板で形成する場合には、長ボルト２を一体成形すれば良い。
【００２９】
そして、この長ボルト２に螺合可能なナット３と、より構成している。
【００３０】
以上のように構成した本発明に係る折板吊金具用補強具Ａは、以下の要領で使用する。
【００３１】
先ず、軒樋吊金具Ｔ３を備えた吊り杆Ｔ１の上端を、折板屋根Ｙに貫通し、この吊り杆Ｔ１の上端側からゴムパッキン等を備えた固定部材Ｔ４を螺合して、折板屋根Ｙに折板吊金具Ｔを取付ける。
【００３２】
そして、折板屋根Ｙの屋根勾配に応じて、軒樋吊金具Ｔ３が水平に設置されるように、吊り杆Ｔ１を周知手段によって若干曲げ加工を行い調節する。
【００３３】
次に、この曲げ調節された軒樋吊金具Ｔ３に開設されたボルト孔（不図示）に向けて、傾斜板体１下端の長ボルト２を貫通すると共に、傾斜板体１上端のプレート部１１に開設された開放溝１２の開放端を、吊り杆Ｔ１の上部に嵌挿する。
【００３４】
そして、傾斜板体１を上方に押し上げて、上端に設けたプレート部１１を、折板屋根Ｙの裏面に当接させたうえで、長ボルト２の下端からナット３を締付け、施工を完了する。
【００３５】
このように、本発明の折板吊金具用補強具Ａによれば、吊り杆Ｔ１の曲げ調節を行った後に、吊り杆Ｔ１を折板屋根Ｙから一々取り外さなくても傾斜板体１を装着できるため、折板吊金具Ｔの施工を簡単且つ確実に行うことができる。
【００３６】
なお、上記施工要領は、一例に過ぎず、これに限定されるわけではない。
【図面の簡単な説明】
【００３７】
【図１】本発明に係る折板吊金具用補強具Ａの一実施例を示す取付状態図である。
【図２】（ａ）、（ｂ）は、図１で示した折板吊金具用補強具Ａを示す斜視図である。
【符号の説明】
【００３８】
Ａ      折板吊金具用補強具
Ｙ      折板屋根
Ｔ      折板吊金具
Ｔ１    吊り杆
Ｔ２    耳保持部
Ｔ３    軒樋吊金具
１      傾斜板体
１１    プレート部
１２    開放溝
２      長ボルト
３      ナット
【図１】
2008240431.tif 000003
【図２】
2008240431.tif 000004